(57)【要約】      （修正有） 【課題】凍結による「重し」容器の破損がなく、簡単確実に命綱の固定ができる雪下ろし時の転落防止装置を提供する。【解決手段】屋根８の棟に、例えばコンクリートの塊等または粒状物質の入った袋等、複数の重し２を棟の両側に別れて置く。これ等と繋ぎ材５とで緊結した、棟を保護する座板４を有する柱１を棟の頂部相当位置に立てる。この柱の所定高さに親命綱３を緊結する。この親命綱の所定位置に、作業者の腰に巻いた子命綱を固定して作業する。重し等の重量やその上に積った雪の重量が親命綱の「重し」となる。【選択図】図１
0003184645.tif 000002
【実用新案登録請求の範囲】
【請求項１】
雪下し時の転落防止の為に、屋根の棟を保護する為の座板を有する、屋根の棟の頂部相当位置に立てられた親命綱を緊結する柱と、柱を支持する為に繋ぎ材でつながれた、棟の左右に別れて置かれた複数の重しと、この柱の所定高さに緊結された親命綱とで構成された装置で、この親命綱の所定位置に作業者の腰に巻いた子命綱を固定して作業できるようにし、重しとその上に積った雪の重量とで親命綱の「重し」となるよう構成した雪の自重を利用した転落防止装置。
【請求項２】
雪下し時の転落防止の為に、柱を支持する為の重しとして、棟の左右に別れて置かた、複数のコンクリート塊等を特徴とする請求項１記載の雪の自重を利用した転落防止装置。
【請求項３】
雪下し時の転落防止の為に、柱を支持する為の重しとして、棟の左右に別れて置かれた、複数の粒状物質を収容した袋等を特徴とする請求項１記載の雪の自重を利用した転落防止装置。
【考案の詳細な説明】
【技術分野】
【０００１】
本考案は雪下し時の転落防止の為、雪の自重の利用をした装置に関するものである。
【背景技術】
【０００２】
従来の技術は、雪下し時の転落防止の為に、屋根の棟にへの字に曲げた平らな形状の水の入った袋を跨いだ状態で置き、この袋の棟の頂部相当位置に棒を立て、この棒の先端に親命綱を固定し、この親命綱の適当な位置に、作業者の腰に巻いた子命綱を固定して作業できるようにし、袋の重量とその上に積った雪の重量とで親命綱の重しとなるよう構成していた（特許文献１参照）。
【先行技術文献】
【特許文献】
【０００３】
【特許文献１】実用新案登録第３１８０５１３号公報
【考案の概要】
【考案が解決しようとする課題】
【０００４】
従来は屋根の棟にへの字に曲げた平らな形状の水の入った袋を設置して、親命綱の「重し」としていた。厳寒地にも設置するので凍結して容器が破損する恐れがあり、容器の材質の選定が難しかった。本考案では凍結する可能性のある水の使用を止め、重しとして、例えばコンクリート（現地で打設されるか又は工場で製作されたもの）の塊等又は粒状物質（鉄若しくは鉱滓の粒又は砕石若しくは砂等）の入った袋等を使用する。親命綱を簡単に、且つ確実に固定する事の出来る「重し」が常に設置されている。この親命綱に子命綱を簡単に固定する事が出来て、多発していた転落事故の防止が可能となる。
【課題を解決するための手段】
【０００５】
この考案は、雪下し時の転落防止の為に、への字に曲げた水の入った袋の代わりに、棟の両側に別れて置かれた複数の重しを置く。この重しには例えば、コンクリート（現地で打設されるか又は工場で製作されたもの）の塊等または粒状物質（鉄若しくは鉱滓の粒又は砕石若しくは砂等）の入った袋等を利用する。これ等と繋ぎ材とで緊結した、棟を保護する座板を有する柱を棟の頂部相当位置に立てる。この柱の所定高さ（１０、５０又は１００ｃｍ程度）に親命綱を緊結する。この親命綱の所定位置（１メートル程度間隔）に作業者の腰に巻いた子命綱を固定して作業できるようにする。重し、例えばコンクリートの塊等または粒状物質の入った袋等の重量とこれ等の上に積った雪の重量とが親命綱の「重し」となる。この装置に依り雪下し時の転落事故を防止しようとしている。これらの転落事故防止装置は建物新築中に予め何らかの処置をしておく必要はなく、新築後の古い建物でもただこの装置を置くだけで簡単に設置可能である。又継続して長い期間設置しておいて、その間毎冬に断続的に利用する事が可能である。
【考案の効果】
【０００６】
従来は「重し」の容器が凍結して破損の恐れがあり、容器の材質の選定が難しかった。本考案では、屋根に棟の両側に別れて置かれた、凍結・破損の恐れのない重し、例えばコンクリート（現地で打設されるか又は工場で製作されたもの）の塊等または粒状物質（鉄若しくは鉱滓の粒又は砕石若しくは砂等）の入った袋等を置く。それ故に厳寒地でも使用可能になる。それらの上に積った雪の重量をも合わせて親命綱の「重し」としている。簡単且つ確実に親命綱の緊結が可能であるので転落事故を防止出来る。
【図面の簡単な説明】
【０００７】
【図１】雪下し時の転落防止の為に、棟の両側に別れて置かれた複数の重しを置く。これ等と繋ぎ材とで緊結した、棟を保護する座板を有する柱を棟の頂部相当位置に立てる。この柱の所定高さに親命綱を緊結した状態図である。
【図２】雪下し時の転落防止の為に、棟の両側に別れて置かれた複数のコンク  リートの塊等を置く。これ等と繋ぎ材とで緊結した、棟を保護する座板を有する柱を棟の頂部相当位置に立てる。この柱の所定高さに親命綱を緊結した状態図である。
【図３】雪下し時の転落防止の為に、棟の両側に別れて置かれた複数の粒状物質の入った袋等を置く。これ等と繋ぎ材とで緊結した、棟を保護する座板を有する柱を棟の頂部相当位置に立てる。この柱の所定高さに親命綱を緊結した状態図である。
【考案を実施するための形態】
【０００８】
棟の両側に別れて置かれた複数の重し、例えばコンクリート（現地で打設されるか又は工場で製作されたもの）の塊等または粒状物質（鉄若しくは鉱滓の粒又は砕石若しくは砂等）の入った袋等を置く。これ等と繋ぎ材とで緊結した、棟を保護する座板を有する柱を棟の頂部相当位置に立てる。この柱の所定高さ（１０、５０又は１００ｃｍ程度）に親命綱を緊結する。この親命綱の所定位置（１メートル程度間隔）に、作業者の腰に巻いた子命綱を固定して作業する。
【実施例】
【０００９】
以下、添付図面に従って実施の形態を説明する。  １は屋根８の棟を保護する為に金属等で作製された座板４を有する、屋根８の棟の頂部相当位置に立てられた金属等で作製された柱（高さ１メートル程度）である。２は柱１を支持する為に、金属又はワイヤー等で作製された繋ぎ材５でつながれた、棟の左右に別れて置かれた複数の重しである。３は柱１の所定高さ（１０、５０又は１００ｃｍ程度）に緊結された親命綱である。この親命綱の所定位置（１メートル程度間隔）に作業者の腰に巻いた子命綱を固定して作業できるようにする。重しとその上に積った雪の重量とで親命綱の「重し」となるよう構成した雪の自重を利用した転落防止装置である。
６は重しとして、複数のコンクリート（現地で打設されるか又は工場で製作されたもの）の塊等を利用する。それらは合計面積１.５平方メートルで２００Ｋｇ程度である。
７は重しとして、複数の粒状物質（鉄若しくは鉱滓の粒又は砕石若しくは砂等）の入った、耐久性の合成樹脂等素材又は帆布等で作製された袋等をを利用する。それらは合計面積１.５平方メートルで２００Ｋｇ程度である。
【符号の説明】
【００１０】
１  柱
２  重し
３  親命綱
４  座板
５  繋ぎ材
６  重し  （コンクリート等の塊）
７  重し  （粒状物質の入った袋）
８  屋根
【図１】
0003184645.tif 000003
【図２】
0003184645.tif 000004
【図３】
0003184645.tif 000005
【手続補正書】
【提出日】平成25年5月2日(2013.5.2)
【手続補正１】
【補正対象書類名】実用新案登録請求の範囲
【補正対象項目名】全文
【補正方法】変更
【補正の内容】
【実用新案登録請求の範囲】
【請求項１】
雪下し時の転落防止の為に、屋根の棟を保護する為の座板を有し、屋根の棟の頂部相当位置に立てられた親命綱を緊結する柱と、柱を支持する為に繋ぎ材でつながれ、棟の左右に別れて置かれた複数の重しと、この柱の所定高さに緊結された親命綱とで構成された装置で、この親命綱の所定位置に作業者の腰に巻いた子命綱を固定して作業できるようにし、重しとその上に積った雪の重量とで親命綱の「重し」となるよう構成した雪の自重を利用した転落防止装置。
【請求項２】
棟の左右に別れて置かれた上記複数の重しを、複数のコンクリート塊としたことを特徴とする請求項１記載の雪の自重を利用した転落防止装置。
【請求項３】
棟の左右に別れて置かれた上記複数の重しを、複数の粒状物質を収容した袋としたことを特徴とする請求項１記載の雪の自重を利用した転落防止装置。
【手続補正２】
【補正対象書類名】明細書
【補正対象項目名】全文
【補正方法】変更
【補正の内容】
【考案の詳細な説明】
【技術分野】
【０００１】
本考案は雪下し時の転落防止の為、雪の自重の利用をした装置に関するものである。
【背景技術】
【０００２】
従来の技術は、雪下し時の転落防止の為に、屋根の棟にへの字に曲げた平らな形状の水の入った袋を跨いだ状態で置き、この袋の棟の頂部相当位置に棒を立て、この棒の先端に親命綱を固定し、この親命綱の適当な位置に、作業者の腰に巻いた子命綱を固定して作業できるようにし、袋の重量とその上に積った雪の重量とで親命綱の重しとなるよう構成していた。（特許文献１参照）
【先行技術文献】
【特許文献】
【０００３】
【特許文献１】実用新案登録第３１８０５１３号公報
【考案の概要】
【考案が解決しようとする課題】
【０００４】
従来は屋根の棟にへの字に曲げた平らな形状の水の入った袋を設置して、親命綱の「重し」としていた。厳寒地にも設置するので凍結して容器が破損する恐れがあり、容器の材質の選定が難しかった。本考案では凍結する可能性のある水の使用を止め、重しとして、例えばコンクリート（現地で打設されるか又は工場で製作されたもの）の塊又は粒状物質（鉄若しくは鉱滓の粒又は砕石若しくは砂等）の入った袋を使用する。親命綱を簡単に、且つ確実に固定する事の出来る「重し」が常に設置されている。この親命綱に子命綱を簡単に固定する事が出来て、多発していた転落事故の防止が可能となる。
【課題を解決するための手段】
【０００５】
この考案は、雪下し時の転落防止の為に、への字に曲げた水の入った袋の代わりに、棟の両側に別れて置かれた複数の重しを置く。この重しには例えば、コンクリート（現地で打設されるか又は工場で製作されたもの）の塊または粒状物質（鉄若しくは鉱滓の粒又は砕石若しくは砂等）の入った袋を利用する。これ等と繋ぎ材とで緊結した、棟を保護する座板を有する柱を棟の頂部相当位置に立てる。この柱の所定高さ（１０、５０又は１００ｃｍ程度）に親命綱を緊結する。この親命綱の所定位置（１メートル程度間隔）に作業者の腰に巻いた子命綱を固定して作業できるようにする。重し、例えばコンクリートの塊または粒状物質の入った袋の重量とこれ等の上に積った雪の重量とが親命綱の「重し」となる。この装置に依り雪下し時の転落事故を防止しようとしている。これらの転落事故防止装置は建物新築中に予め何らかの処置をしておく必要はなく、新築後の古い建物でもただこの装置を置くだけで簡単に設置可能である。又継続して長い期間設置しておいて、その間毎冬に断続的に利用する事が可能である。
【考案の効果】
【０００６】
従来は「重し」の容器が凍結して破損の恐れがあり、容器の材質の選定が難しかった。本考案では、屋根に棟の両側に別れて置かれた、凍結・破損の恐れのない重し、例えばコンクリート（現地で打設されるか又は工場で製作されたもの）の塊または粒状物質（鉄若しくは鉱滓の粒又は砕石若しくは砂等）の入った袋を置く。それ故に厳寒地でも使用可能になる。それらの上に積った雪の重量をも合わせて親命綱の「重し」としている。簡単且つ確実に親命綱の緊結が可能であるので転落事故を防止出来る。
【図面の簡単な説明】
【０００７】
【図１】雪下し時の転落防止の為に、棟の両側に別れて置かれた複数の重しを置く。これ等と繋ぎ材とで緊結した、棟を保護する座板を有する柱を棟の頂部相当位置に立てる。この柱の所定高さに親命綱を緊結した状態図である。
【図２】雪下し時の転落防止の為に、棟の両側に別れて置かれた複数のコンクリートの塊を置く。これ等と繋ぎ材とで緊結した、棟を保護する座板を有する柱を棟の頂部相当位置に立てる。この柱の所定高さに親命綱を緊結した状態図である。
【図３】雪下し時の転落防止の為に、棟の両側に別れて置かれた複数の粒状物質の入った袋を置く。これ等と繋ぎ材とで緊結した、棟を保護する座板を有する柱を棟の頂部相当位置に立てる。この柱の所定高さに親命綱を緊結した状態図である。
【考案を実施するための形態】
【０００８】
棟の両側に別れて置かれた複数の重し、例えばコンクリート（現地で打設されるか又は工場で製作されたもの）の塊または粒状物質（鉄若しくは鉱滓の粒又は砕石若しくは砂等）の入った袋を置く。これ等と繋ぎ材とで緊結した、棟を保護する座板を有する柱を棟の頂部相当位置に立てる。この柱の所定高さ（１０、５０又は１００ｃｍ程度）に親命綱を緊結する。この親命綱の所定位置（１メートル程度間隔）に、作業者の腰に巻いた子命綱を固定して作業する。
【実施例】
【０００９】
以下、添付図面に従って実施の形態を説明する。  １は屋根８の棟を保護する為に金属等で作製された座板４を有する、屋根８の棟の頂部相当位置に立てられた金属等で作製された柱（高さ１メートル程度）である。２は柱１を支持する為に、金属又はワイヤー等で作製された繋ぎ材５でつながれた、棟の左右に別れて置かれた複数の重しである。３は柱１の所定高さ（１０、５０又は１００ｃｍ程度）に緊結された親命綱である。この親命綱の所定位置（１メートル程度間隔）に作業者の腰に巻いた子命綱を固定して作業できるようにする。重しとその上に積った雪の重量とで親命綱の「重し」となるよう構成した雪の自重を利用した転落防止装置である。
６は重しとして、複数のコンクリート（現地で打設されるか又は工場で製作されたもの）の塊を利用する。それらは合計面積１.５平方メートルで２００Ｋｇ程度である。
７は重しとして、複数の粒状物質（鉄若しくは鉱滓の粒又は砕石若しくは砂等）の入った、耐久性の合成樹脂等素材又は帆布等で作製された袋を利用する。それらは合計面積１.５平方メートルで２００Ｋｇ程度である。
【符号の説明】
【００１０】
１  柱
２  重し
３  親命綱
４  座板
５  繋ぎ材
６  重し  （コンクリートの塊）
７  重し  （粒状物質の入った袋）
８  屋根